(57)【要約】【課題】  「測定モード」全体におけるどの部分を設定しているのかを直感的に理解することができる水分計を提供する。【解決手段】  荷重を検出する荷重検出部１０と試料が載置される試料皿４０とを有する天秤本体部５０と、加熱体６０が取り付けられた天秤蓋部９０と、表示装置２４と、入力装置２５と、加熱体６０、荷重検出部１０、表示装置２４及び入力装置２５を制御する制御部８０とを備え、複数のステップから構成された測定モードを設定することが可能な水分計１であって、測定モードにおいて、入力装置２５によって、各ステップ毎に乾燥温度及び／又は測定時間が設定されるようになっており、制御部８０は、各ステップ毎に乾燥温度及び／又は測定時間が設定される際には、全測定時間と温度との関係を示すグラフ２９を表示装置２４に表示し、設定中のステップに対応するグラフ２９の部分を点滅させるか若しくは変色させる。【選択図】  図４
2012137333.tif 000002
【特許請求の範囲】
【請求項１】
荷重を検出する荷重検出部と試料が載置される試料皿とを有する天秤本体部と、
加熱体が取り付けられた天秤蓋部と、
表示装置と、
入力装置と、
前記加熱体、前記荷重検出部、前記表示装置及び前記入力装置を制御する制御部とを備え、
複数のステップから構成された測定モードを設定することが可能な水分計であって、
前記測定モードにおいて、前記入力装置によって、各ステップ毎に乾燥温度及び／又は測定時間が設定されるようになっており、
前記制御部は、各ステップ毎に乾燥温度及び／又は測定時間が設定される際には、全測定時間と温度との関係を示すグラフを前記表示装置に表示し、設定中のステップに対応するグラフの部分を点滅させるか若しくは変色させることを特徴とする水分計。
【請求項２】
荷重を検出する荷重検出部と試料が載置される試料皿とを有する天秤本体部と、
加熱体が取り付けられた天秤蓋部と、
表示装置と、
入力装置と、
前記加熱体、前記荷重検出部、前記表示装置及び前記入力装置を制御する制御部とを備え、
複数のステップから構成された測定モードを設定することが可能な水分計であって、
前記測定モードにおいて、前記入力装置によって、各ステップ毎に乾燥温度及び／又は測定時間が設定されるようになっており、
前記制御部は、前記測定モードにおいて全ステップに乾燥温度及び／又は測定時間が設定されると、前記測定モードに基づいて前記加熱体を制御するとともに、
全測定時間と温度との関係を示すグラフを前記表示装置に表示し、実行中のステップに対応するグラフの部分を点滅させるか若しくは変色させることを特徴とする水分計。
【請求項３】
複数の測定モードの内から一つの測定モードを選択して設定することが可能となっており、
各測定モード毎に対応するグラフを前記表示装置に表示することを特徴とする請求項１又は請求項２に記載の水分計。
【発明の詳細な説明】
【技術分野】
【０００１】
本発明は、水分計に関する。
【背景技術】
【０００２】
電子水分計は、試料皿に載置された試料を加熱乾燥して試料の重量の減少から試料に含まれる水分率を測定するものである（例えば、特許文献１参照）。
図６は、従来の電子水分計の構成を示す斜視図である。なお、図６は、蓋を開けた状態の電子水分計である。また、図７は、図６に示す電子水分計の構成の一例を示すブロック図である。
このような電子水分計１０１は、荷重を検出する荷重検出センサ（荷重検出部）１０が収容されるケース（本体筐体）２０と制御部１８０とを有する天秤本体部５０と、荷重検出センサ１０に取り付けられ試料が載置される試料皿４０と、直管型のハロゲンヒータ（加熱体）６０とケース（蓋筐体）７０とを有する天秤蓋部９０とを備える。
【０００３】
ケース２０は、四角形状の上板（上面）２１の中央部に円環形状の風防２２が形成されており、円環形状の風防２２の中心に位置する部分の上板２１には、上下方向に上板２１を貫通する円形状の軸穴が形成されている。
また、上板２１の前部には表示装置１２４と入力装置２５とが形成されており、表示装置１２４に「水分率」等が表示されるとともに、入力装置２５を用いて測定モード等が設定されるようになっている。
【０００４】
荷重検出センサ１０は、直方体形状のアルミニウム合金製のブロック体であり、ロバーバル機構と、第一レバーと、第二レバーと、ロバーバル機構と第一レバーと第二レバーとを連結する連結部材とが、前後方向に貫通する孔やスリット等を設けることによって形成されている。
ロバーバル機構は、ケース２０に取付部材を介して固定される固定柱と、金属製の円柱形状の連結軸が結合される可動柱と、両端部に可撓部（ヒンジ部）を有する２本の梁とから構成される。そして、可動柱と固定柱とを、互いに平行な２本の梁によって連結した構造となっている。
【０００５】
第二レバーの他端部には、持出部材の基端部がネジ等によって固定される。これにより、試料の荷重は、可動柱と連結部材と第一レバーと連結部材と第二レバーとを介して、持出部材の先端部を傾動させるようになっている。このような持出部材の先端部の変位は、ケース２０に固定された変位センサによって検出される。また、持出部材の先端部には、電磁力発生装置のフォースコイルが固着されている。これにより、電磁力発生装置のフォースコイルに流される電流の大きさは、変位センサからの検出信号に基づいて、持出部材の先端部の変位が０となるようにサーボ機構によって制御される。
なお、連結軸の下端部が、荷重検出センサ１０の可動柱の上面に結合されているとともに、連結軸の上端部に試料皿４０が測定者によって取り付け取り外し可能となっている。
そして、荷重検出センサ１０は、ケース２０の内部空間に配置されるとともに、連結軸は、ケース２０の内側から軸穴を通って風防２２の中央に配置されている。
【０００６】
ケース７０は、円形の上板と上板の周縁部から下方に伸びた円筒状の側壁とを有し、上板の下面にはハロゲンヒータ６０が取り付けられている。
そして、側壁の一部の下部とケース２０の上板２１の後側とを軸として、ケース７０が回動可能に取り付けられている。このとき、ケース７０が閉じられた際には、ケース７０が風防２２を覆うようになり、一方、ケース７０が開けられた際には、ケース７０の上板は、ケース２０の上板２１と垂直となるようになっている。
【０００７】
制御部１８０は、ＣＰＵ１８１とメモリ８２とを備え、さらに入力装置２５と表示装置１２４とが連結されている。ＣＰＵ１８１が処理する機能をブロック化して説明すると、ハロゲンヒータ６０を制御する加熱体制御部８１ａと、変位センサからの検出信号に基づいて持出部材の先端部の変位が０となるようにサーボ機構を制御する測定部８１ｂと、表示装置１２４に「水分率」等を表示する主表示制御部１８１ｃと、表示装置１２４に「測定モード」に関する情報（後述する）等を表示する副表示制御部１８１ｄとを有する。
なお、「水分率」とは、試料の初期重量をＷとし、試料の現在重量をＤとし、Ｍ＝Ｗ−Ｄとすると、Ｄ／ＷやＭ／ＷやＷ／Ｄで表され、試料の種類や測定内容に対応して適宜、選択されることになっている。
【０００８】
このような電子水分計１０１では、試料の種類や測定内容に対応して適切な内容に予め設定された複数の「測定モード」の内から適切な一つの「測定モード」を選択して設定することが可能となっている。例えば、「測定モード」として、「自動停止モード」と「時間停止モード」と「急速乾燥モード」と「緩速乾燥モード」と「ステップ乾燥モード」との５種類の「測定モード」を設定することが可能となっている。
「自動停止モード」では、３０秒間の水分変化量が設定した閾値以下になると、測定を終了する。「時間停止モード」では、設定した時間に達すると、測定を終了する。「急速乾燥モード」では、３０秒間の水分変化量が設定した閾値以下になるまで、急速乾燥温度で乾燥を行い、その後は設定した乾燥温度で乾燥を行う。「緩速乾燥モード」では、通常の測定より緩やかに乾燥温度を上昇させる。「ステップ乾燥モード」では、複数のステップから構成され、ステップ毎に乾燥温度と測定時間（若しくは乾燥終了時間）とを設定する。
【０００９】
ここで、電子水分計１０１で「測定モード」を選択して設定して、設定した「測定モード」を実行する使用方法について説明する。
まず、測定者は、入力装置２５を用いて一つの「測定モード」を選択して設定する。例えば、「ステップ乾燥モード」を選択して設定する。次に、「ステップ乾燥モード」を設定した場合には、さらに入力装置２５を用いて各ステップ毎に乾燥温度と測定時間とを設定する。例えば、「８０℃、１０分のステップ１→１００℃、５分のステップ２→１０５℃、１５分のステップ３」を設定する。
【００１０】
図８（ａ）は、設定中に表示装置１２４に表示される画像を示す図である。右上には設定中のステップである「ＭＯＤＥ  ＳＴＰ  ２」が点灯表示されており、右中にはステップ２に設定した測定時間である「２０ｍｉｎ」が点灯表示されており、右下にはステップ２に現在設定しようとしている乾燥温度である「ＴＥＭＰ  １００℃」が点滅表示されている。これにより、測定者は、図８（ａ）に示すような画像を見ながら、入力装置２５を用いて各ステップ毎に乾燥温度と測定時間とを設定する。
【００１１】
そして、加熱体制御部８１ａは、「ステップ乾燥モード」において全ステップに乾燥温度と測定時間とが設定されると、「ステップ乾燥モード」に基づいてハロゲンヒータ６０を制御する。例えば、「８０℃、１０分のステップ１→１００℃、５分のステップ２→１０５℃、１５分のステップ３」を実行する。
図８（ｂ）は、実行中に表示装置１２４に表示される画像の一例である。右上には実行中のステップである「ＭＯＤＥ  ＳＴＰ  ２」が点灯表示されており、右下にはステップ２に設定した乾燥温度である「ＴＥＭＰ  １００℃」が点灯表示され、中上には現在の温度である「２０℃」が点灯表示され、左上には実行中であることを示すイラスト画像が点灯表示され、中央領域には水分率Ｍ／Ｗが「０．００％」であることが表示されている。これにより、測定者は、図８（ｂ）に示すような画像を見ながら、１００℃、５分のステップ２が現在実行されようとしていることを認識する。
【先行技術文献】
【特許文献】
【００１２】
【特許文献１】特開２００３−３０２３２４号公報
【発明の概要】
【発明が解決しようとする課題】
【００１３】
しかしながら、電子水分計１０１では、「ステップ乾燥モード」を設定する際に、図８（ａ）に示すように「ＭＯＤＥ  ＳＴＰ  ２」と「２０ｍｉｎ」と「ＴＥＭＰ  １００℃」とが表示されているだけなので、「ステップ乾燥モード」全体におけるどの部分を設定しているのかを直感的に理解することが困難であった。
また、「ステップ乾燥モード」を実行する際に、図８（ｂ）に示すように「ＭＯＤＥ  ＳＴＰ  ２」と「ＴＥＭＰ  １００℃」と「２０℃」とが表示されているだけなので、「ステップ乾燥モード」全体におけるどの部分を現在実行しているのかを直感的に理解することが困難であった。
そこで、本発明は、「測定モード」全体におけるどの部分を設定しているのかを直感的に理解することができる水分計を提供することを目的とする。また、本発明は、「測定モード」全体におけるどの部分を実行しているのかを直感的に理解することができる水分計を提供することを目的とする。
【課題を解決するための手段】
【００１４】
上記課題を解決するためになされた本発明の水分計は、荷重を検出する荷重検出部と試料が載置される試料皿とを有する天秤本体部と、加熱体が取り付けられた天秤蓋部と、表示装置と、入力装置と、前記加熱体、前記荷重検出部、前記表示装置及び前記入力装置を制御する制御部とを備え、複数のステップから構成された測定モードを設定することが可能な水分計であって、前記測定モードにおいて、前記入力装置によって、各ステップ毎に乾燥温度及び／又は測定時間が設定されるようになっており、前記制御部は、各ステップ毎に乾燥温度及び／又は測定時間が設定される際には、全測定時間と温度との関係を示すグラフを前記表示装置に表示し、設定中のステップに対応するグラフの部分を点滅するか若しくは変色するようにしている。
【００１５】
本発明の水分計によれば、制御部は、各ステップ毎に乾燥温度や測定時間が設定される際には、全測定時間と温度との関係を示すグラフを表示装置に表示する。そして、設定中のステップに対応するグラフの部分を点滅したり変色させたりする。
【発明の効果】
【００１６】
以上のように、本発明の水分計によれば、グラフを観察しながら設定することができるので、「測定モード」全体におけるどの部分を設定しているのかを直感的に理解することができる。
【００１７】
（他の課題を解決するための手段および効果）
また、本発明の水分計は、荷重を検出する荷重検出部と試料が載置される試料皿とを有する天秤本体部と、加熱体が取り付けられた天秤蓋部と、表示装置と、入力装置と、前記加熱体、前記荷重検出部、前記表示装置及び前記入力装置を制御する制御部とを備え、複数のステップから構成された測定モードを設定することが可能な水分計であって、前記測定モードにおいて、前記入力装置によって、各ステップ毎に乾燥温度及び／又は測定時間が設定されるようになっており、前記制御部は、前記測定モードにおいて全ステップに乾燥温度及び／又は測定時間が設定されると、前記測定モードに基づいて前記加熱体を制御するとともに、全測定時間と温度との関係を示すグラフを前記表示装置に表示し、実行中のステップに対応するグラフの部分を点滅させるか若しくは変色させるようにしてもよい。
以上のように、本発明の水分計によれば、実行中にグラフを観察することができるので、「測定モード」全体におけるどの部分を実行しているのかを直感的に理解することができる。
【００１８】
また、上記発明の水分計において、複数の測定モードの内から一つの測定モードを選択して設定することが可能となっており、各測定モード毎に対応するグラフを前記表示装置に表示するようにしてもよい。
本発明の水分計によれば、各測定モード毎に対応するグラフが表示装置に表示されるので、「測定モード」全体を直感的に理解することができる。
【図面の簡単な説明】
【００１９】
【図１】本発明に係る電子水分計の構成を示す斜視図。
【図２】図１に示す電子水分計の構成の一例を示すブロック図。
【図３】グラフ表示制御部によって表示装置に表示される模式グラフ。
【図４】図３（ｅ）に示す模式グラフの拡大図。
【図５】表示装置に表示される画像の一例を示す図。
【図６】従来の電子水分計の構成を示す斜視図。
【図７】図６に示す電子水分計の構成の一例を示すブロック図。
【図８】表示装置に表示される画像の一例を示す図。
【発明を実施するための形態】
【００２０】
以下、本発明の実施形態について図面を用いて説明する。なお、本発明は、以下に説明するような実施形態に限定されるものではなく、本発明の趣旨を逸脱しない範囲で種々の態様が含まれる。
【００２１】
図１は、本発明に係る電子水分計の構成を示す斜視図である。なお、図１は、蓋を開けた状態の電子水分計である。また、図２は、図１に示す電子水分計の構成の一例を示すブロック図である。
電子水分計１は、荷重を検出する荷重検出センサ（荷重検出部）１０が収容されるケース（本体筐体）２０と制御部８０とを有する天秤本体部５０と、荷重検出センサ１０に取り付けられ試料が載置される試料皿４０と、直管型のハロゲンヒータ（加熱体）６０とケース（蓋筐体）７０とを有する天秤蓋部９０とを備える。
【００２２】
制御部８０は、ＣＰＵ８１とメモリ８２とを備え、さらに入力装置２５と表示装置２４とが連結されている。ＣＰＵ８１が処理する機能をブロック化して説明すると、ハロゲンヒータ６０を制御する加熱体制御部８１ａと、変位センサからの検出信号に基づいて持出部材の先端部の変位が０となるようにサーボ機構を制御する測定部８１ｂと、表示装置２４に「水分率」等を表示する主表示制御部８１ｃと、表示装置２４に「測定モード」に関する情報（後述する）等を表示するグラフ表示制御部８１ｄとを有する。
【００２３】
グラフ表示制御部８１ｄは、表示装置２４の左部領域に模式グラフ（「測定モード」に関する情報）を表示する制御を行う。
具体的には、入力装置２５を用いて一つの「測定モード」が選択されて設定されたときには、各測定モード毎に対応する模式グラフを表示装置２４の左部領域に表示する。図３は、グラフ表示制御部８１ｄによって表示装置２４に表示される模式グラフである。
「自動停止モード」では、図３（ａ）に示すように、左下部から左中部まで垂直となり、その後、左中部から右中部まで水平に伸びる「模式グラフ」が表示されるとともに、右下部に「ＡＵＴＯ」が表示される。「時間停止モード」では、図３（ｂ）に示すように、左下部から左中部まで垂直となり、その後、左中部から右中部まで水平に伸びる「模式グラフ」が表示される。「急速乾燥モード」では、図３（ｃ）に示すように、左下部から左上部まで垂直となり、左上部から中上部まで水平に伸び、中上部から中央部まで垂直となり、その後、中央部から右中部まで水平に伸びる「模式グラフ」が表示される。「緩速乾燥モード」では、図３（ｄ）に示すように、左下部から中央部まで斜めに伸び、その後、中央部から右中部まで水平に伸びる「模式グラフ」が表示される。「ステップ乾燥モード」では、図３（ｅ）に示すように、左下部から右上部に向かって３段階の階段状である「模式グラフ」が表示される。なお、図４は、図３（ｅ）に示す模式グラフの拡大図である。
【００２４】
ここで、電子水分計１で「測定モード」を選択して設定して、設定した「測定モード」を実行する使用方法について説明する。
（１）「ステップ乾燥モード」
まず、測定者は、入力装置２５を用いて「ステップ乾燥モード」を選択して設定する。このとき、グラフ表示制御部８１ｄは、図４に示す模式グラフ２９を左部領域に表示する。なお、図５（ａ）は、設定中に表示装置２４に表示される画像の一例を示す図である。
そして、グラフ表示制御部８１ｄは、図４に示す模式グラフ２９の１段目の水平部分２９ｂ（ステップ１に対応する部分）を点滅表示する。これにより、測定者は、「ステップ乾燥モード」全体におけるステップ１に対応する部分を設定していることを直感的に理解することができ、入力装置２５を用いて乾燥温度と測定時間とを順番に設定する。例えば、図５（ａ）に示すように、中央領域に数値画像を表示して「８０℃、１０分のステップ１」を設定する。
次に、グラフ表示制御部８１ｄは、図４に示す模式グラフ２９の２段目の水平部分２９ｄ（ステップ２に対応する部分）を点滅表示する。これにより、測定者は、「ステップ乾燥モード」全体におけるステップ２に対応する部分を設定していることを直感的に理解することができ、入力装置２５を用いて乾燥温度と測定時間とを順番に設定する。例えば、「１００℃、５分のステップ２」を設定する。
最後に、グラフ表示制御部８１ｄは、図４に示す模式グラフ２９の３段目の水平部分２９ｆ（ステップ３に対応する部分）を点滅表示する。これにより、測定者は、「ステップ乾燥モード」全体におけるステップ３に対応する部分を設定していることを直感的に理解することができ、入力装置２５を用いて乾燥温度と測定時間とを順番に設定する。例えば、「１０５℃、１５分のステップ３」を設定する。
【００２５】
「ステップ乾燥モード」において全ステップに乾燥温度と測定時間とが設定されると、加熱体制御部８１ａは、ハロゲンヒータ６０を制御する。このとき、グラフ表示制御部８１ｄは、図４に示す模式グラフ２９を左部領域に表示する。なお、図５（ｂ）は、実行中に表示装置２４に表示される画像の一例である。図５（ｂ）では、主表示制御部８１ｃによって、中央領域には水分率Ｍ／Ｗが点灯表示され、右側領域には実行中であることを示すイラスト画像が点灯表示されている。
グラフ表示制御部８１ｄは、図５（ｂ）に示すように、８０℃になるまでは、図４に示す模式グラフ２９の１段目の垂直部分２９ａを点滅表示する。これにより、測定者は、「ステップ乾燥モード」全体におけるステップ１に対応する部分を準備していることを直感的に理解することができ、その部分で水分率Ｍ／Ｗが「１．２６％」であることを認識する。
８０℃になると、グラフ表示制御部８１ｄは、図４に示す模式グラフ２９の１段目の水平部分２９ｂをステップ１の測定時間が１０分になるまで点滅表示する。これにより、測定者は、「ステップ乾燥モード」全体におけるステップ１に対応する部分を実行していることを直感的に理解することができる。
【００２６】
次に、グラフ表示制御部８１ｄは、１００℃になるまでは、図４に示す模式グラフ２９の２段目の垂直部分２９ｃを点滅表示する。これにより、測定者は、「ステップ乾燥モード」全体におけるステップ２に対応する部分を準備していることを直感的に理解することができる。
１００℃になると、グラフ表示制御部８１ｄは、図４に示す模式グラフ２９の２段目の水平部分２９ｄをステップ２の測定時間が５分になるまで点滅表示する。これにより、測定者は、「ステップ乾燥モード」全体におけるステップ２に対応する部分を実行していることを直感的に理解することができる。
次に、グラフ表示制御部８１ｄは、１０５℃になるまでは、図４に示す模式グラフ２９の３段目の垂直部分２９ｅを点滅表示する。これにより、測定者は、「ステップ乾燥モード」全体におけるステップ３に対応する部分を準備していることを直感的に理解することができる。
１０５℃になると、グラフ表示制御部８１ｄは、図４に示す模式グラフ２９の３段目の水平部分２９ｆをステップ３の測定時間が１５分になるまで点滅表示する。これにより、測定者は、「ステップ乾燥モード」全体におけるステップ３に対応する部分を実行していることを直感的に理解することができる。
【００２７】
（２）「自動停止モード」
まず、測定者は、入力装置２５を用いて「自動停止モード」を選択して設定する。このとき、グラフ表示制御部８１ｄは、図３（ａ）に示す模式グラフを左部領域に表示する。
そして、グラフ表示制御部８１ｄは、図３（ａ）に示す模式グラフの水平部分を点滅表示する。これにより、測定者は、入力装置２５を用いて３０秒間の水分変化量である閾値と乾燥温度とを順番に設定する。例えば、「１０％、１００℃」を設定する。
「自動停止モード」において閾値と乾燥温度とが設定されると、加熱体制御部８１ａは、ハロゲンヒータ６０を制御する。このとき、グラフ表示制御部８１ｄは、図３（ａ）に示す模式グラフを左部領域に表示する。
まず、グラフ表示制御部８１ｄは、１００℃になるまでは、図３（ａ）に示す模式グラフの垂直部分を点滅表示する。これにより、測定者は、「自動停止モード」全体におけるどの部分を実行しているのかを直感的に理解することができる。
１００℃になると、グラフ表示制御部８１ｄは、図３（ａ）に示す模式グラフの水平部分を点滅表示する。これにより、測定者は、「自動停止モード」全体におけるどの部分を実行しているのかを直感的に理解することができる。
その後、加熱体制御部８１ａは、３０秒間の水分変化量が設定した閾値以下になったと判定すると、測定を終了する。
【００２８】
（３）「時間停止モード」
まず、測定者は、入力装置２５を用いて「時間停止モード」を選択して設定する。このとき、グラフ表示制御部８１ｄは、図３（ｂ）に示す模式グラフを左部領域に表示する。
そして、グラフ表示制御部８１ｄは、図３（ｂ）に示す模式グラフの水平部分を点滅表示する。これにより、測定者は、入力装置２５を用いて乾燥温度と測定時間とを順番に設定する。例えば、「１００℃、１００ｍｉｎ」を設定する。
「時間停止モード」において乾燥温度と測定時間とが設定されると、加熱体制御部８１ａは、ハロゲンヒータ６０を制御する。このとき、グラフ表示制御部８１ｄは、図３（ｂ）に示す模式グラフを左部領域に表示する。
グラフ表示制御部８１ｄは、１００℃になるまでは、図３（ｂ）に示す模式グラフの垂直部分を点滅表示する。これにより、測定者は、「時間停止モード」全体におけるどの部分を実行しているのかを直感的に理解することができる。
１００℃になると、グラフ表示制御部８１ｄは、図３（ｂ）に示す模式グラフの水平部分を点滅表示する。これにより、測定者は、「時間停止モード」全体におけるどの部分を実行しているのかを直感的に理解することができる。
その後、加熱体制御部８１ａは、測定終了時間になったと判定すると、測定を終了する。
【００２９】
（４）「急速乾燥モード」
まず、測定者は、入力装置２５を用いて「急速乾燥モード」を選択して設定する。このとき、グラフ表示制御部８１ｄは、図３（ｃ）に示す模式グラフを左部領域に表示する。
そして、グラフ表示制御部８１ｄは、図３（ｃ）に示す模式グラフの１段目の水平部分を点滅表示する。これにより、測定者は、「急速乾燥モード」全体におけるどの部分を設定しているのかを直感的に理解することができ、入力装置２５を用いて３０秒間の水分変化量である閾値と乾燥温度とを順番に設定する。例えば、「１０％、１００℃」を設定する。
【００３０】
「急速乾燥モード」において閾値と乾燥温度とが設定されると、加熱体制御部８１ａは、ハロゲンヒータ６０を制御する。このとき、グラフ表示制御部８１ｄは、図３（ｃ）に示す模式グラフを左部領域に表示する。
グラフ表示制御部８１ｄは、最高温度になるまでは、図３（ｃ）に示す模式グラフの垂直部分を点滅表示する。これにより、測定者は、「急速乾燥止モード」全体におけるどの部分を実行しているのかを直感的に理解することができる。
最高温度になると、グラフ表示制御部８１ｄは、３０秒間の水分変化量である閾値以下になるまでは、図３（ｃ）に示す模式グラフの１段目の水平部分を点滅表示する。これにより、測定者は、「急速乾燥モード」全体におけるどの部分を実行しているのかを直感的に理解することができる。
３０秒間の水分変化量である閾値以下になり、１００℃になるまでは、グラフ表示制御部８１ｄは、図３（ｃ）に示す模式グラフの２段目の垂直部分を点滅表示する。これにより、測定者は、「急速乾燥モード」全体におけるどの部分を実行しているのかを直感的に理解することができる。
１００℃になると、グラフ表示制御部８１ｄは、図３（ｃ）に示す模式グラフの２段目の水平部分を点滅表示する。これにより、測定者は、「急速乾燥モード」全体におけるどの部分を実行しているのかを直感的に理解することができる。
【００３１】
（５）「緩速乾燥モード」
まず、測定者は、入力装置２５を用いて「緩速乾燥モード」を選択して設定する。このとき、グラフ表示制御部８１ｄは、図３（ｄ）に示す模式グラフを左部領域に表示する。
そして、グラフ表示制御部８１ｄは、図３（ｄ）に示す模式グラフの水平部分を点滅表示する。これにより、測定者は、入力装置２５を用いて乾燥温度を設定する。例えば、「１００℃」を設定する。
「緩速乾燥モード」において乾燥温度が設定されると、加熱体制御部８１ａは、ハロゲンヒータ６０を制御する。
まず、グラフ表示制御部８１ｄは、１００℃になるまでは、図３（ｄ）に示す模式グラフの斜め部分を点滅表示する。これにより、測定者は、「緩速乾燥モード」全体におけるどの部分を実行しているのかを直感的に理解することができる。
１００℃になると、グラフ表示制御部８１ｄは、図３（ｄ）に示すグラフの水平部分を点滅表示する。これにより、測定者は、「緩速乾燥モード」全体におけるどの部分を実行しているのかを直感的に理解することができる。
【００３２】
以上のように、本発明の電子水分計１によれば、測定者は「測定モード」全体におけるどの部分を設定しているのかを直感的に理解することができる。また、測定者は「測定モード」全体におけるどの部分を実行しているのかを直感的に理解することができる。
【００３３】
＜他の実施形態＞
（１）上述した電子水分計１において、対応するグラフの部分を点滅するような構成を示したが、対応するグラフの部分を変色（輝度を変更）するような構成としてもよい。
（２）上述した電子水分計１において、グラフ表示制御部８１ｄは、模式グラフを表示するような構成を示したが、詳細なグラフを表示するような構成としてもよい。
【産業上の利用可能性】
【００３４】
本発明は、電子水分計等に好適に利用できる。
【符号の説明】
【００３５】
１  電子水分計
１０  荷重検出センサ
２４  表示装置
２５  入力装置
２９  模式グラフ
４０  試料皿
５０  天秤本体部
６０  ハロゲンヒータ（加熱体）
８０  制御部
【図１】
2012137333.tif 000003
【図２】
2012137333.tif 000004
【図３】
2012137333.tif 000005
【図４】
2012137333.tif 000006
【図５】
2012137333.tif 000007
【図６】
2012137333.tif 000008
【図７】
2012137333.tif 000009
【図８】
2012137333.tif 000010